(57)【要約】【課題】中古品販売店に売込むための商品を、その売込客が不正に入手したと疑わしい商品の買取りを防止できるようにした商品の不正流通防止システムを提供する。【解決手段】機械読取可能な固有のＩＤ情報が付された商品と、各々の商品流通組織に設置され、前記商品の買取り及び販売の際に、商品に付されたＩＤ情報を読み取るＩＤ読取装置と、更に該ＩＤ読取装置で読み取ったＩＤ情報と、該ＩＤ情報の送信元識別情報とを情報処理装置に送信する通信端末と、前記通信端末と通信回線を介して通信可能に接続された前記情報処理装置と、情報処理装置には、ＩＤ情報毎に商品情報を関係付けて登録された商品情報データベースと、前記通信端末からＩＤ情報及び送信元識別情報を受信した際に、前記商品情報データベースに商品流通組織における商品の買取販売に関する情報を登録する手段と、を備えていることを特徴とする。【選択図】        図４
2004234403.tif 000002
【特許請求の範囲】
【請求項１】
商品の販売業者が商品を仕入れる際に、買取ろうとする商品に関する過去の流通情報を収集可能とし、不正な流通により持ち込まれた商品の購入防止を図れるようにした商品の不正流通防止システムであって、
機械読取可能な固有のＩＤ情報が付された商品と、
商品を取り扱う各々の商品流通組織に設置され、前記商品の流通、買取り及び販売の際に、前記商品に付されたＩＤ情報を読み取るＩＤ読取装置と、更に該ＩＤ読取装置で読み取ったＩＤ情報と、該ＩＤ情報の送信元を特定可能とした送信元識別情報とを情報処理装置に送信する通信端末と、
前記通信端末と通信回線を介して通信可能に接続された前記情報処理装置と、
前記情報処理装置には、ＩＤ情報毎に商品情報を関係付けて登録された商品情報データベースと、前記通信端末からＩＤ情報及び送信元識別情報を受信した際に、前記商品情報データベースに商品流通組織における商品の買取販売に関する情報を登録する手段と、
を備えていることを特徴とする商品の不正流通防止システム。
【請求項２】
前記商品流通組織の通信端末から受信したＩＤ情報に基づいて、前記商品データベースに登録されている商品の流通買取販売に関する情報から、予め定められた条件と照合し、商品の買取り可否に関する判定を行う判定手段を備えていることを特徴とする請求項１記載の商品の不正流通防止システム。
【請求項３】
前記機械読取可能な固有のＩＤ情報が、非接触ＩＣタグの記憶手段に記憶され、該非接触ＩＣタグが商品に付されていることを特徴とする請求項１記載の商品の不正流通防止システム。
【請求項４】
前記機械読取可能な固有のＩＤ情報が、バーコードで商品に表示されていることを特徴とする請求項１記載の商品の不正流通防止システム。
【発明の詳細な説明】
【０００１】
【発明の属する技術分野】
本発明は、商品の販売業者が種々の商品を仕入れる際に、買取ろうとする商品に関する過去の流通情報の収集を可能とし、不正な流通により持ち込まれた商品の購入防止を図れるようにした商品の不正流通防止システムに関する。
【０００２】
【従来の技術】
従来、商品の流通ルートにおいて、一旦市販された商品を個人客などから買取り、中古品として再販する中古品販売店がある。
近年、これらの中古品販売店では、倒産会社などが在庫していた新品の商品を低価格で買い入れて、通常の価格よりも安値で販売するなど、取扱い商品も中古品に限らない場合もある。
【０００３】
例えば、書籍の流通過程を一例として挙げると、書籍は、出版会社から取次会社へ、取次会社から個人などの顧客に対して小売を行う書店へと流通される。
また、更に近年においては、一旦書店から小売された新刊本を買取り、定価よりも安く再販することを業とする所謂新古書店と呼ばれる中古品販売店も営業を行なっており、書籍の流通においても、一旦個人に販売された書籍が新古書店で買い取られ、更に中古の書籍として再度新古書店から個人客へ販売されるという流通経路ができ、書籍の流通もより複雑になっているという現状である。
【０００４】
これらの中古書籍市場においては、個人客が持ち込んだ書籍を新古書店で気軽に購入してもらえるので、例えば、最近発行された新刊本を書店で購入した後に、短期間で読破し、直ぐに新古書店に売り払うことで自分のコスト負担を軽減しようとする個人客も多い。
また、特に人気のある新刊本は、新古書店が買取った場合でも、直ぐに売れる可能性が高いので買取り価格も割高となる場合が多く、そのために、書店から万引きなどで不正にそれらの書籍を入手したり、また書店の従業員などが販売用の書籍を不正に新古書店に持ち込んで売り払うことで、不正な利益を得ることも可能であるため問題が生じることが考えられる。
【０００５】
また、既に書籍の流通管理や配送、返品及び在庫管理等を行うために、非接触ＩＣタグを書籍に設けることで効率的な書籍情報の管理を行うシステムが既に知られている。（例えば、特許文献１参照）
この公知のシステムは、書籍に非接触ＩＣタグを貼付することで、取次会社における納本、配本、返品本などのデータを効率的に収集し管理することができ、また書店における書籍の入庫、在庫、販売、返品などの情報管理を効率的に行えるようにしたものである。
しかしながら、この公知のシステムでは、万引き等で不正に入手した書籍を売込客が新古書店に持ち込んだとしても、その書籍が盗難品であるのか、正規に書店から購入した品であるのかを判断することができないという問題がある。
【０００６】
【特許文献１】
特開２００１−２４０２１７号公報
【０００７】
【発明が解決しようとする課題】
本発明は、中古品販売店に売込むための商品を、売込客が持ち込んで来店した場合でも、売込みのために持ち込まれた商品が、万引き等で不正に入手した商品であるか否かなど、正規の流通ルートにおいて購入した商品であるか否かを確認できるように、商品の流通情報を収集できるようにし、その売込客が不正に入手したと疑わしい商品の買取りを防止できるようにした商品の不正流通防止システムを提供する。
【０００８】
【課題を解決するための手段】
本発明の商品の不正流通防止システムは、商品の販売業者が商品を仕入れる際に、買取ろうとする商品に関する過去の流通情報を収集可能とし、不正な流通により持ち込まれた商品の購入防止を図れるようにした商品の不正流通防止システムであって、機械読取可能な固有のＩＤ情報が付された商品と、商品を取り扱う各々の商品流通組織に設置され、前記商品の流通、買取り及び販売の際に、前記商品に付されたＩＤ情報を読み取るＩＤ読取装置と、更に該ＩＤ読取装置で読み取ったＩＤ情報と、該ＩＤ情報の送信元を特定可能とした送信元識別情報とを情報処理装置に送信する通信端末と、前記通信端末と通信回線を介して通信可能に接続された前記情報処理装置と、前記情報処理装置には、ＩＤ情報毎に商品情報を関係付けて登録された商品情報データベースと、前記通信端末からＩＤ情報及び送信元識別情報を受信した際に、前記商品情報データベースに商品流通組織における商品の買取販売に関する情報を登録する手段と、を備えていることを特徴とする。
【０００９】
また、本発明の商品の不正流通防止システムは、前記商品流通組織の通信端末から受信したＩＤ情報に基づいて、前記商品データベースに登録されている商品の流通買取販売に関する情報から、予め定められた条件と照合し、商品の買取り可否に関する判定を行う判定手段を備えていることを特徴とする。
【００１０】
更に、本発明の商品の不正流通防止システムは、前記機械読取可能な固有のＩＤ情報が、非接触ＩＣタグの記憶手段に記憶され、該非接触ＩＣタグが商品に付されていることを特徴とする。
【００１１】
また、本発明の商品の不正流通防止システムは、前記機械読取可能な固有のＩＤ情報が、バーコードで商品に表示されていることを特徴とする。
【００１２】
【発明の実施の形態】
以下、本発明の実施形態に係る商品の不正流通防止システムを図面に基づいて詳細に説明するが、この実施形態では、商品を書籍とした場合の例について以下に説明する。
図１は、書籍の奥付け部分に非接触ＩＣタグを貼付した例を示す図、図２は、非接触ＩＣタグの例を示す平面図、図３は、非接触ＩＣタグを書籍の裏表紙に内蔵させた例を示す断面図、図４は、本発明の実施形態に係る商品の不正流通防止システムの概要を説明する図、図５は、本発明の実施形態に係る商品の不正流通防止システムに関するシステムのブロック図、図６は、本発明の実施形態に係る商品の不正流通防止システムを利用した新古書店の運用形態を説明する図、図７は、本発明の実施形態に係る商品の不正流通防止システムに関する書籍流通履歴情報データベースの記憶情報の一例を示す表、図８は、本発明の実施形態に係る商品の不正流通防止システムに関する書籍買取り時の処理手順を説明するフローチャート、図９は、本発明の実施形態に係る商品の不正流通防止システムに関する書籍販売時の処理手順を説明するフローチャートである。
【００１３】
まず、本発明の実施形態に係る商品の不正流通防止システムに使用する非接触ＩＣタグ付き書籍１について説明する。
この非接触ＩＣタグ付き書籍１は、既に前記特許文献１に記載されているが、書籍の所望の部分に非接触ＩＣタグ３が設けられたものであり、非接触リーダライタでの読み取りや書込みなどが可能であれば、非接触ＩＣタグ３を書籍に設ける部分や仕様は特に限定されるものではない。
ここで、書籍とは、書籍、雑誌、ビデオ、ＤＶＤ、ＣＤなどの著作物を含む。
非接触ＩＣタグ３を書籍に貼付する場合は、書籍が電磁遮蔽効果のある金属製の表紙等をもつ場合の他、いずれの箇所に貼付しても構わない。
【００１４】
図１は、書籍１の奥付け部分１ａに非接触ＩＣタグ３を貼付した例である。
非接触ＩＣタグ３は、書籍の表紙や裏表紙などの書籍の外面部分に貼付しても良いが、他の書籍との接触や取り扱い時の物理的外力により剥離することもあるので、表紙の内面側や裏表紙の内面側などの直接外面に表れない部分に設けることが好ましい。
実際には、非接触ＩＣタグ３を書籍の表紙面や表紙裏面、裏表紙面や裏表紙裏面、奥付け部、その他の書籍内の任意な紙面、あるいは表紙カバーやブックケース等に貼付させたり、内蔵させたりする。
【００１５】
非接触ＩＣタグ３は、通常は金属層を積層した紙やプラスチック基材にアンテナ用のコイルパターン３３を金属層にエッチング形成しＩＣチップ３２を接続することにより形成できる。
ＩＣチップ３２のメモリー容量が１キロビットであれば、１２８文字の記録ができる。
非接触ＩＣタグ３の記憶手段には、少なくとも非接触ＩＣタグ３毎に機械読取可能な固有のＩＤ情報がそれぞれ記憶されている。
また、その他に例えば、書籍の識別コードである書籍ＩＤ情報、書名、発行所名、発行日、著者名、版数、売価などを記憶させておいてもよい。
ＩＤ情報や、書籍の識別コードである書籍ＩＤ情報は、タグまたは書籍毎に重複したコードを付することを避けるため、コード付与の統一した管理基準を設けることが好ましい。
【００１６】
図２は、非接触ＩＣタグ３の例を示す図である。
非接触ＩＣタグ３は非接触データキャリアやＲＦ−ＩＤともいわれ、プラスチック等の基材３１にコイルパターン３３を形成し、当該コイルと容量素子とにより共振回路を形成して一定周波数の電波を受信し送信することができる。
また、他の方式として、リーダライタからの搬送波の電磁誘導により電力伝送及びデータ伝送を行うようにしてもよい。
一般的には１３５ｋＨｚ（中波）、１３．５６ＭＨｚ、２．４５ＧＨｚ（マイクロ波）の周波数帯が使用される。
図示した例の場合、コイルパターン３３は導通部材３４により基材３１の裏面でジャンピング回路を形成してコイル接続端子３３ＣによりＩＣチップ３２の裏面のバンプに接続している。
【００１７】
図示した例では、容量素子はＩＣチップ３２に内蔵されている。
このような非接触ＩＣタグ３は、樹脂基材にラミネートしたアルミ箔等の金属箔をフォトエッチングやレジスト印刷後のエッチングによりコイルパターン３３を形成し、ＩＣチップ３２を装着し、保護用の被覆を設けることにより形成することができる。
その大きさも３０ｍｍ×３０ｍｍ程度以下のサイズとすることができる。
【００１８】
非接触ＩＣタグ３に使用する樹脂基材３１としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１９】
これらの記録した情報の読み取りは、非接触ＩＣタグ３に対して共振する呼び出し信号を発信し、数ｃｍから数十ｃｍの距離で非接触ＩＣタグからの応答信号を読み、且つ非接触ＩＣタグに記録することができる。
装置としては固定した常設のリーダライタ付きターミナルやのほか、無線式のハンディー端末等を使用することができる。
【００２０】
また、図３には、非接触ＩＣタグ３を２枚の紙片３５ａ，３５ｂの間に挟み込んだ状態の断面図を示しているが、このように書籍の表紙や裏表紙等の書籍の一部を構成する紙片に非接触ＩＣタグ３を内蔵させると、外観上も通常の書籍と違和感がないので好ましい。
【００２１】
次に、本発明の実施形態に係る商品の不正流通防止システムの概要を、図４に基づいて説明する。
図４に示すように、書籍を取り扱う複数の商品流通組織である出版会社４と、取次会社５と、書店６と、中古品販売店である新古書店７とにそれぞれ設置されている各端末８，９，１０，１１は、インターネット１２を介して情報管理センター１３に設置されている管理用サーバ１４と通信可能に接続されている。
また、図４においては、一例として、書籍が出版会社４、取次会社５、書店６の順番で流通された後に、書店６で書籍１を購入した顧客１５が、その書籍１を新古書店７に買取ってもらうという書籍１の流通過程が示されている。
ここで言う「新古書店」とは、書店から一旦顧客が購入した書籍を買取り、再度他の顧客に対してその書籍の販売を行うことを業としている書店のことを言う。
【００２２】
また、出版会社４、取次会社５、書店６、新古書店７にそれぞれ設置されている各端末８，９，１０，１１には、無線式ハンディータイプのＩＣタグリーダ１６，１７ａ，１７ｂ，１８ａ，１８ｂ，１９ａ，１９ｂとの間で非接触により信号の送受信を行うアンテナ装置２０，２１，２２，２３が接続され設けられている。
尚、これら無線式ハンディータイプのＩＣタグリーダ１６，１７ａ，１７ｂ，１８ａ，１８ｂ，１９ａ，１９ｂの代わりに、固定した常設のリーダライタ付きターミナルなどを使用してもよく、その場合には、アンテナ装置２０，２１，２２，２３を設けないで、リーダライタ付きターミナルを直接、各端末に接続する。
また、ＩＣタグリーダは、それぞれの商品流通組織の規模や事情に応じて、用意する数量や、設ける場所を任意に決めればよい。
【００２３】
出版会社４に設けられているＩＣタグリーダ１６は、出版会社４の倉庫などに一時的に保管された書籍を、取次会社５などに対して出庫する際に書籍に設けられている非接触ＩＣタグ３に記憶されているＩＤ情報を読み取るための出庫用のＩＣタグリーダである。
この出庫用のＩＣタグリーダ１６で非接触ＩＣタグ３に記憶されたＩＤ情報を読み取ることで、どの書籍が何時に出庫されたのかなどの履歴情報を収集できるようにしてある。
【００２４】
また、取次会社５に設けられている２つのＩＣタグリーダ１７ａ，１７ｂの内、まず、ＩＣタグリーダ１７ａは、出版会社４から取次会社５が書籍１を買い取る際に、書籍１に設けられている非接触ＩＣタグ３に記憶されたＩＤ情報を読み取るための買取用のＩＣタグリーダ１７ａであり、また、もう一方のＩＣタグリーダ１７ｂは、取次会社５から書店６に対して販売する際に、書籍１に設けられている非接触ＩＣタグ３からＩＤ情報を読み取るための販売用のＩＣタグリーダ１７ｂである。
この２つのＩＣタグリーダ１７ａ，１７ｂからのＩＤ情報の読み取り情報により、どの書籍が何時に買い取られ、更に何時に販売したのかなどの履歴情報を収集できるようにしてあり、また常に在庫している書籍の状況も調べられるようにしてある。
【００２５】
次に、書店６に設けられている２つのＩＣタグリーダ１８ａ，１８ｂの内、まず、ＩＣタグリーダ１８ａは、取次会社５から書店６に書籍１を仕入れた際に、書籍１に設けられている非接触ＩＣタグに記憶されたＩＤ情報を読み取るための買取用のＩＣタグリーダ１８ａであり、また、もう一方のＩＣタグリーダ１８ｂは、書店６が顧客に販売した際に、非接触ＩＣタグ３に記憶されたＩＤ情報を読み取るための販売用のＩＣタグリーダ１８ｂである。
この２つのＩＣタグリーダ１８ａ，１８ｂからのＩＤ情報の読み取りにより、どの書籍が何時に買い取られて、更に何時に販売されたのかなどの履歴情報を収集することができ、また書店６に在庫している書籍も調べられるようにしてある。
【００２６】
次に、新古書店７に設けられている２つのＩＣタグリーダ１９ａ，１９ｂの内、まず、ＩＣタグリーダ１９ａは、書店などから書籍１を購入した顧客１５が、既にその書籍を読み終わるなどして不要となった場合などに新古書店７に売りに来た際に、その書籍１に設けられている非接触ＩＣタグ３に記憶されたＩＤ情報を読み取るための買取用のＩＣタグリーダ１９ａであり、また、もう一方のＩＣタグリーダ１９ｂは、新古書店７が再度他の顧客に対して販売する際に、非接触ＩＣタグ３に記憶されたＩＤ情報を読み取るための販売用のＩＣタグリーダ１９ｂである。
この２つのＩＣタグリーダ１９ａ，１９ｂからのＩＤ情報の読み取りにより、どの書籍が何時に買い取られて、更に何時に販売されたのかなどの履歴情報を収集することができ、また新古書店７に在庫している書籍も調べられるようにしてある。
【００２７】
次に、図５に基づいて、本発明の実施形態に係る非接触ＩＣタグを利用した書籍情報管理システムのシステム構成について説明する。
出版会社４に設置された端末８は、表示手段４０、入力手段４１、記憶手段４２、送受信手段４３、制御手段４４を有し、アンテナ装置２０で受信した非接触ＩＣタグ３から読み取ったＩＤ情報を、送受信手段４３により情報管理センター１３のサーバ１４へ送信可能とし、またサーバ１４から判定情報などを収集できるようにしてある。
記憶手段４２には、予め送信元を特定することが可能な送信元識別情報が記憶され、非接触ＩＣタグ３から読み取ったＩＤ情報を情報管理センター１３のサーバ１４へ送信する際に、送信元識別情報も同時に送信することで、どこの出版会社４から送信されたＩＤ情報であるのかを特定できるようにしてある。
【００２８】
また、取次会社５の端末９は、表示手段４５、入力手段４６、記憶手段４７、送受信手段４８、制御手段４９を有し、アンテナ装置２１で受信した非接触ＩＣタグから読み取ったＩＤ情報を、送受信手段４８により情報管理センター１４のサーバ１４へ送信可能とし、またサーバ１４から判定情報などを収集できるようにしてある。
記憶手段４７には、予め送信元を特定することが可能な送信元識別情報が記憶され、非接触ＩＣタグ３から読み取ったＩＤ情報を情報管理センター１３のサーバ１４へ送信する際に、送信元識別情報も同時に送信することで、どこの取次会社５から送信されたＩＤ情報であるのかを特定できるようにしてある。
【００２９】
また、書店６の端末１０は、表示手段５０、入力手段５１、記憶手段５２、送受信手段５３、制御手段５４を有し、アンテナ装置２２で受信した非接触ＩＣタグから読み取ったＩＤ情報を、送受信手段５３により情報管理センター１４のサーバ１４へ送信可能とし、またサーバ１４から判定情報などを収集できるようにしてある。
記憶手段５２には、予め送信元を特定することが可能な送信元識別情報が記憶され、非接触ＩＣタグ３から読み取ったＩＤ情報を情報管理センター１３のサーバ１４へ送信する際に、送信元識別情報も同時に送信することで、どこの書店６から送信されたＩＤ情報であるのかを特定できるようにしてある。
【００３０】
また、新古書店７の端末１１は、表示手段５５、入力手段５６、記憶手段５７、送受信手段５８、制御手段５９を有し、アンテナ装置２３で受信した非接触ＩＣタグから読み取ったＩＤ情報を、送受信手段５８により情報管理センター１４のサーバ１４へ送信可能とし、またサーバ１４から判定情報などを収集できるようにしてある。
記憶手段５７には、予め送信元を特定することが可能な送信元識別情報が記憶され、非接触ＩＣタグ３から読み取ったＩＤ情報を情報管理センター１３のサーバ１４へ送信する際に、送信元識別情報も同時に送信することで、どこの新古書店７から送信されたＩＤ情報であるのかを特定できるようにしてある。
【００３１】
次に、情報管理センター１４に設置されているサーバ１４には、送受信手段６０、計時手段６１、記憶手段６２、判定手段６３、登録手段６４、制御手段６５、書籍流通履歴情報データベース６６とが備えられている。
書籍流通履歴情報データベース６６には、出版会社４、取次会社５、書店６、新古書店７などの各端末からの受信したＩＤ情報と送信元識別情報とを関係付けて、これらの情報を各端末からの受信時順に流通履歴情報として登録される。
更に、書籍流通履歴情報データベース６６には、ＩＤ情報と関係付けて書籍の書名、作者、出版社名、出版社コード、取次店名、取次店コード、書店名、書店コード、新古書店名、新古書店コード、売り上げ金額などの情報を登録させておき、端末から受信したＩＤ情報に基づいて、種々の情報処理が行えるようにしておいてもよい。
【００３２】
また、図７には、書籍流通履歴情報データベース６６の記憶情報の一例が示されているが、書籍流通履歴情報データベース６６には、各商品流通組織からの送信情報により、商品である書籍毎に流通履歴情報が随時に追加記憶されていき、いつでも流通履歴を確認したい時に、書籍流通履歴情報データベース６６に記憶された流通履歴情報を見ることで、各書籍が正規の流通ルートにより持ち込まれたものであるか否かを調べることができるようにしてある。
つまり、例えば、出版会社４、取次会社５、書店６、新古書店７などの各商品流通組織が買い入れて、正規に販売されたか否かが書籍流通履歴情報データベース６６に記憶されているので、もしも書籍流通履歴情報データベース６６に記憶された情報において、最新の履歴情報に買入情報だけが記憶され、販売情報の記憶がない場合には、持ち込まれた書籍が万引きなどの不正行為により持ち込まれて売込みに来た可能性が高いことがわかる。
【００３３】
計時手段６１は、各端末からサーバ１４へ送信されたＩＤ情報を受信した時刻／又は日付けを計測する機能を有する。
また、登録手段６４は、各商品流通組織から書籍１が販売された際に、その書籍１の非接触ＩＣタグから読み取ったＩＤ情報と送信元識別情報とが端末からサーバ１４に送信された場合に、サーバ１４で受信したＩＤ情報と送信元識別情報を登録する。
【００３４】
また、判定手段６３は、各商品流通組織の各端末から、書籍の流通履歴情報の確認依頼情報を受信した際に、予め定めた流通条件に適合しているか否かの判定を行う機能を有している。
例えば、新古書店７で個人が売込みにきた書籍について、判定手段６３では、書籍流通履歴情報データベース６６の流通履歴情報と照合するための条件情報を設定し、判定することができるようにしてある。
この場合、新古書店７が、その個人から書籍を買い取る条件としては、例えば、出版会社４、取次会社５、書店６の順番に書籍の流通履歴情報として、買取情報と販売情報が全てに書き込まれていることが、買取り許可の条件となる。
但し、買取り許可の条件は、必要に応じて任意に定めればよく、上記の条件に限定されるものではない。
【００３５】
図６には、新古書店７と、情報管理センター１３と、出版社４との関係を説明するための図が示されている。
ここでは、端末を書籍の買い取る際に使用する買取用パソコン１１１と、書籍を販売する際に使用する販売用端末機１１２とにわけて設置した場合の例を示している。
更に、その他のデータ照会用パソコン１１３などが設置されている。
【００３６】
次に、本発明の実施形態に係る商品の不正流通防止システムの処理手順を、新古書店での処理を中心にして説明する。
図６に示すように、新古書店７で個人が書籍を持参して売込みにきた場合を想定すると、まず、買取用のＩＣタグリーダ１９ａを書籍１に近づけることで、書籍１に設けられている非接触ＩＣタグ３に記憶されたＩＤ情報を読み取る。（ステップＳ１）
【００３７】
ＩＣタグリーダ１９ａで読取られたＩＤ情報は、アンテナ装置２３ａ及び
買取用パソコン１１１から、送信元識別情報と共にインターネット１２を介して情報管理センター１３のサーバ１４へ送信される。（ステップＳ２）
サーバ１４では、書籍流通履歴情報データベース６６に登録されている流通履歴情報の中から、受信したＩＤ情報に該当する流通履歴情報をチェックし、判定手段６３により判定が行われる。（ステップＳ３）
【００３８】
この判定処理による判定情報としては、書籍流通履歴情報データベース６６の流通履歴として、出版会社４、取次会社５、書店６の全てにおいて、買取情報と販売情報が書き込まれているか否かがチェックされ、この条件を満たす場合に書籍の購入を許可する許可情報が生成され、それ以外は、購入を許可しない不許可情報が生成される。
そして、判定手段６３で生成された判定情報は、サーバ１４から買取用パソコン１１１へ送信され、買取用パソコン１１１のディスプレイに表示される。（ステップＳ４）
新古書店７の店員は、買取用パソコン１１１のディスプレイに表示された判定情報を確認することで、売込まれた書籍が不正に入手された書籍である危険性があるか否かがわかり、購入を許可する許可情報が表示された場合にだけに、買取り価格などを検討して買取りの有無を判断することができる。
【００３９】
次に、新古書店７から在庫の書籍を販売する場合には、販売する書籍１に販売用のＩＣタグリーダ１９ｂを近づけることで、書籍１に設けられている非接触ＩＣタグ３に記憶されたＩＤ情報を読み取る。（ステップＳ５）
ＩＣタグリーダ１９ｂで読取られたＩＤ情報は、アンテナ装置２３ｂ及び
販売用端末機１１２から、送信元識別情報と共にインターネット１２を介して情報管理センター１３のサーバ１４へ送信される。（ステップＳ６）
サーバ１４では、登録手段６４により書籍流通履歴情報データベース６６の流通履歴情報に、確かにその書籍１を新古書店から販売したものであることを確認可能に登録する。（ステップＳ７）
【００４０】
また、新古書店７に設置されたデータ照会用パソコン１１３を使用して、書籍流通履歴情報データベース６６に登録された新古書店７からの書籍の販売情報に基づいて、販売した書籍の出版社毎に売り上げ金額を集計することで、売上実績に応じた著作権料などの支払い処理を行うようにすることもできる。
【００４１】
また、本発明の商品の不正流通防止システムでは、新古書店７に限らず、例えば書店６から取次会社５への返本があった場合でも、その返本品が正規のルートで書店６に販売された書籍であるか否かを、書籍流通履歴情報データベース６６に登録された情報を確認することで簡単に確認することも可能である。
このように、本発明の商品の不正流通防止システムは、各商品流通組織において、いつでも必要な時に書籍流通履歴情報データベース６６に登録された販売情報を通信端末から照会することで、流通履歴を確認したり、また、不正流通品であるか否かの判定情報を入手することができるものである。
【００４２】
尚、本発明の商品の不正流通防止システムは、書籍に限らず、機械読取可能な固有のＩＤ情報が付された商品に関して、種々の商品に対して適応できるシステムである。
また、商品に付す機械読取可能な固有のＩＤ情報は、上記実施形態に示した非接触ＩＣタグ３を用いてＩＤ情報を商品に付す以外の仕様で商品に付すようにしてもよく、これらの場合には、ＩＤ情報を読み取る装置も適宜対応可能な仕様の読取装置を用いればよい。
例えば、商品にバーコードを表示することで、バーコードによるＩＤ情報を商品に付して、バーコードリーダーによりＩＤ情報の読み取りを行なうようにしてもよい。
【００４３】
【発明の効果】
以上説明したように、本発明の商品の不正流通防止システムは、商品を取り扱う各々の商品流通組織での商品の買取販売情報をデータベースに記憶させ、これらの情報に基づいて不正流通の有無を確認できるので、中古品販売店に商品の売込客が来店した場合でも、売込みのために持ち込まれた商品が、万引き等で不正に入手したものでなく、正規の流通ルートにおいて購入した商品であるか否かを簡単に調べることができ、その売込客が不正に入手したと疑わしい商品の買取りを防止することができるという効果がある。
また、本発明の商品の不正流通防止システムは、商品データベースに登録されている商品の買取販売に関する情報から判定手段により判定することで、短時間で買取り判断を行なうことができるという効果がある。
また、機械読取可能な固有のＩＤ情報が、非接触ＩＣタグにより商品に付されていることで、外観上の体裁を損なうことなくＩＤ情報を商品に付すことができる。
また、機械読取可能な固有のＩＤ情報が、バーコードで商品に表示されていることで、低コストでＩＤ情報を商品に付すことができる。
【図面の簡単な説明】
【図１】書籍の奥付け部分に非接触ＩＣタグを貼付した例を示す図である。
【図２】非接触ＩＣタグの例を示す平面図である。
【図３】非接触ＩＣタグを書籍の裏表紙に内蔵させた例を示す断面図である。
【図４】本発明の実施形態に係る商品の不正流通防止システムの概要を説明する図である。
【図５】本発明の実施形態に係る商品の不正流通防止システムのシステムブロック図である。
【図６】本発明の実施形態に係る商品の不正流通防止システムを利用した新古書店の運用形態を説明する図である。
【図７】本発明の実施形態に係る商品の不正流通防止システムに関する書籍流通履歴情報データベースの記憶情報の一例を示す表である。
【図８】本発明の実施形態に係る商品の不正流通防止システムに関する書籍買取り時の処理手順を説明するフローチャートである。
【図９】本発明の実施形態に係る商品の不正流通防止システムに関する書籍販売時の処理手順を説明するフローチャートである。
【符号の説明】
１  書籍
１ａ  書籍の奥付け部分
３  非接触ＩＣタグ
４  出版社
５  取次会社
６  書店
７  新古書店
８，９，１０，１１  端末
１２  インターネット
１３  情報管理センター
１４  サーバ
１６，１７ａ，１７ｂ，１８ａ，１８ｂ，１９ａ，１９ｂ  ＩＣタグリーダ
２０，２１，２２，２３  アンテナ装置
３１  基材
３２  ＩＣチップ
３３  コイルパターン
３３Ｃ  コイル接続端子
３４  導通部材
３５ａ，３５ｂ  紙片
４０，４５，５０，５５  表示手段
４１，４６，５１，５６  入力手段
４２，４７，５２，５７，６２  記憶手段
４３，４８，５３，５８，６０  送受信手段
４４，４９，５４，５９，６５  制御手段
６１  計時手段
６４  登録手段
６６  書籍流通履歴情報データベース
１１１  買取用パソコン
１１２  販売用端末機
１１３  データ照会用パソコン
【図１】
2004234403.tif 000003
【図２】
2004234403.tif 000004
【図３】
2004234403.tif 000005
【図４】
2004234403.tif 000006
【図５】
2004234403.tif 000007
【図６】
2004234403.tif 000008
【図７】
2004234403.tif 000009
【図８】
2004234403.tif 000010
【図９】
2004234403.tif 000011